(57)【特許請求の範囲】
【請求項１】
所定の手順に従ってチャネルを確立した基地局との間で無線通信を行い、当該基地局との間で送受信される信号レベルが劣化すると、所定の通信チャネルの切替え手順を実行し、デジタル／アナログ変換したアナログ画像データの送受信機能を備える通信装置において、
画像データの送信機能を実行しているときに、チャネルの切替え手順が実行されたことを識別する送信時チャネル切替識別手段と、
前記送信時チャネル切替識別手段の出力に応答して、チャネルの切替え手順が終了するまで、当該手順の実行期間中に送信される１ライン分の画像データを連続して繰り返し送信する連続送信手段を含むことを特徴とする通信装置。
【請求項２】
所定の手順に従ってチャネルを確立した基地局との間で無線通信を行い、デジタル／アナログ変換したアナログ画像データの送受信機能を備える通信装置において、
画像データの送信機能を実行しているときに、チャネル上で発生するビットエラーの発生割合と予め定める閾値とを比較する送信時エラー発生割合比較手段と、
前記送信時エラー発生割合比較手段の出力に応答して、ビットエラーの発生割合が前記予め定める閾値を越えている期間中に送信される１ライン分の画像データの末尾に疑似信号を付加する疑似信号付加手段とを含むことを特徴とする通信装置。
【請求項３】
所定の手順に従ってチャネルを確立した基地局との間で無線通信を行い、デジタル／アナログ変換したアナログ画像データの送受信機能を備える通信装置において、
画像データの送信機能を実行しているときに、チャネル上で発生するビットエラーの発生割合と予め定める閾値とを比較する送信時エラー発生割合比較手段と、
前記送信時エラー発生割合比較手段の出力に応答して、ビットエラーの発生割合が前記予め定める閾値を越えている期間中に送信される１ライン分の画像データを連続して繰り返し送信する連続送信手段を含むことを特徴とする通信装置。
【請求項４】
所定の手順に従ってチャネルを確立した基地局との間で無線通信を行い、当該基地局との間で送受信される信号レベルが劣化すると、所定の通信チャネルの切替え手順を実行し、画像データとして認識できる信号が、受信エラー検出用計測手段に設定される予め定められる期間中に受信されなかったときには、所定の通信の中断手順を実行し、デジタル／アナログ変換したアナログ画像データの送受信機能を備える通信装置において、
画像データの受信機能を実行しているときに、チャネルの切替え手順が実行されたことを識別する受信時チャネル切替識別手段と、
前記受信時チャネル切替識別手段の出力に応答して、チャネルの切替え手順が終了するまで、前記受信エラー検出用計測手段の計測動作を無効化する無効化手段を含むことを特徴とする通信装置。
【請求項５】
所定の手順に従ってチャネルを確立した基地局との間で無線通信を行い、当該基地局との間で送受信される信号レベルが劣化すると、所定の通信チャネルの切替え手順を実行し、デジタル／アナログ変換したアナログ画像データの送受信機能を備える通信装置において、
画像データの受信機能を実行しているときに、チャネルの切替え手順が実行されたことを識別する受信時チャネル切替識別手段と、
時間軸で可変の設定値に基づいてチャネル上で発生する歪み信号を除去する適応等化器と、
前記受信時チャネル切替識別手段の出力に応答して、チャネルの切替え手順が終了するまで、前記適応等化器の設定値を固定する設定手段を含むことを特徴とする通信装置。
【請求項６】
所定の手順に従ってチャネルを確立した基地局との間で無線通信を行い、画像データとして認識できる信号が、受信エラー検出用計測手段に設定される予め定められる期間中に受信されなかったときには、所定の通信の中断手順を実行し、デジタル／アナログ変換したアナログ画像データの送受信機能を備える通信装置において、
画像データの受信機能を実行しているときに、チャネル上で発生するビットエラーの発生割合と、予め定める閾値とを比較する受信時エラー発生割合比較手段と、
前記受信時エラー発生割合比較手段の出力に応答して、ビットエラーの発生割合が予め定める閾値を越えている期間中には、前記受信エラー検出用計測手段の計測動作を無効化する無効化手段を含むことを特徴とする通信装置。
【請求項７】
所定の手順に従ってチャネルを確立した基地局との間で無線通信を行い、デジタル／アナログ変換したアナログ画像データの送受信機能を備える通信装置において、
画像データの受信機能を実行しているときに、チャネル上で発生するビットエラーの発生割合と、予め定める閾値とを比較する受信時エラー発生割合比較手段と、
時間軸で可変の設定値に基づいてチャネル上で発生する歪み信号を除去する適応等化器と、
前記受信時エラー発生割合比較手段の出力に応答して、ビットエラーの発生割合が予め定める閾値を越えている期間中には、前記適応等化器の設定値を固定する設定手段を含むことを特徴とする通信装置。
【発明の詳細な説明】
【０００１】
【発明の属する技術分野】
本発明は、無線方式を用いて通信を行う通信装置に関し、特にデジタル信号である画像データを音声データと同等のアナログ信号に変換して送受信する機能を備える通信装置に関する。
【０００２】
【従来の技術】
無線方式を用いて通信を行う携帯型移動端末装置などの通信装置では、予め定められる手順に従って端末装置と基地局とのチャネルの確立を行い、無線方式を用いて通信を行う前記基地局を介して、端末装置間の通信を実現している。端末装置は通信中においても移動可能であり、通信中に移動して当該端末装置と基地局との間の距離が長くなり、信号レベルの低下など、受信信号の品質が劣化すると、端末装置は基地局を変更する、いわゆるハンドオーバ動作を行って、チャネルを切替える。このようなハンドオーバ動作の実行時の基地局の変更ができなかったときには、元の基地局との間にチャネル接続を戻す、いわゆる切り戻り動作が実行される。また、キャリア周波数やスロットのみを変更して同一基地局との間でチャネルを切替えることも可能である。
【０００３】
このような通信装置では、音声データの送受信を行う通話機能に加えて、画像データの送受信を行うファクシミリ通信機能が付加されたものがある。この場合、通信装置は、公衆電話回線などのアナログ回線を介して画像データの送受信を行うファクシミリ装置などと同じように、画像データを見なし音声データに変換して送受信している。すなわち、デジタル信号である画像データは、モデムによって音声データと同等のアナログ信号に変換され、変換された画像データが無線方式によって送受信される。以降の説明での「画像データ」とは、上述のような「見なし音声データ」のことを意味する。
【０００４】
【発明が解決しようとする課題】
上述した通信装置において、ハンドオーバ動作や切り戻り動作などのチャネルの切替え期間中、または同一基地局との間でのチャネルの切り替え期間中に、一時的に音声データの通信ができなくなることが知られている。通話機能の実行時では、通信が一瞬不可能となっても、受信できなかった音声を会話の流れから容易に推測し、通話を続けることができる。
【０００５】
しかしながら、ファクシミリ機能の実行時では、次のような不都合が生じる。すなわち、前記チャネルの切替えは、送信側端末装置と基地局との間および受信側端末装置と基地局との間で生じる。互いの端末装置はともに、相手側の端末装置がチャネルの切替え中であるかどうかを識別して、その結果に基づいて送信あるいは受信動作を制御するようには構成されていないので、たとえば送信側が切替え中であっても、受信側はその間に受信される信号は全て画像データであると判断して受信動作を続ける。したがって、受信側端末装置は、受信した画像データではない信号を印画出力してしまうことになる。また、受信側が切替え中であっても、送信側はその間にも画像データを送信し続ける。前記切替え期間中は、画像データの送受信が不可能であるので、受信側端末装置は、一部分が抜けた画像を出力することとなる。したがって、印画出力される画像の品位は、著しく低いものとなる。またこのような不都合は、チャネルの切替え期間中のみならず、チャネル上に設定されるビットエラーレート値が予め定める閾値を越えたときにも生じる。また、前記チャネルの切替え期間やビットエラーレート値の大きい期間が長期間続くと、通信自体ができなくなるという不都合が生じる。
【０００６】
本発明の目的は、画像データの欠落を低減して通信エラーの発生を低減することができる通信装置を提供することである。
【０００７】
【課題を解決するための手段】
本発明は、所定の手順に従ってチャネルを確立した基地局との間で無線通信を行い、当該基地局との間で送受信される信号レベルが劣化すると、所定の通信チャネルの切替え手順を実行し、デジタル／アナログ変換したアナログ画像データの送受信機能を備える通信装置において、
画像データの送信機能を実行しているときに、チャネルの切替え手順が実行されたことを識別する送信時チャネル切替識別手段と、
前記送信時チャネル切替識別手段の出力に応答して、チャネルの切替え手順が終了するまで、当該手順の実行期間中に送信される１ライン分の画像データを連続して繰り返し送信する連続送信手段を含むことを特徴とする通信装置である。本発明に従えば、通信装置は、所定の手順に従ってチャネルを確立した基地局との間で無線通信を行う。基地局との間で送受信される信号レベルが劣化すると、通信装置は所定の通信チャネルの切替え手順を実行して、たとえば他の基地局との間でチャネルを確立して、当該基地局との間で無線通信を行う。あるいは、キャリア周波数やスロットのみを変更して、同じ基地局との間で無線通信を行う。デジタル／アナログ変換したアナログ画像データの送信機能を実行しているときに、チャネルの切替え手順が実行されると、チャネルの切替え手順が終了するまで、当該手順の実行期間中に送信される１ライン分の画像データが連続して繰り返して送信される。繰り返し送信される同じ画像データを受信した受信側端末装置は、同じ画像を繰り返して印画出力することとなるけれども、実際には画像データは受信されていないので、画像は印画出力されない。このようにして、伝送期間の時間を稼ぐようにすることによって、切替え手順実行期間中の新たな画像データの送出を少なくすることができ、画像データの欠落が低減する。
【０００８】
また本発明は、所定の手順に従ってチャネルを確立した基地局との間で無線通信を行い、デジタル／アナログ変換したアナログ画像データの送受信機能を備える通信装置において、
画像データの送信機能を実行しているときに、チャネル上で発生するビットエラーの発生割合と予め定める閾値とを比較する送信時エラー発生割合比較手段と、
前記送信時エラー発生割合比較手段の出力に応答して、ビットエラーの発生割合が前記予め定める閾値を越えている期間中に送信される１ライン分の画像データの末尾に疑似信号を付加する疑似信号付加手段とを含むことを特徴とする通信装置である。
本発明に従えば、画像データの送信機能を実行しているときに、チャネル上で発生するビットエラーの発生割合が予め定める閾値を越えている期間中には、当該期間中に送信される１ライン分の画像データの末尾に、ＦＩＬ信号などの疑似信号が付加される。したがって、ビットエラーの発生割合が大きく、画像データの通信が不可能であるときに、送信される本来の画像データを少なくすることができる。このため、前記期間中の画像データの欠落が低減し、印画出力される画像の品位が向上する。
【０００９】
また本発明は、所定の手順に従ってチャネルを確立した基地局との間で無線通信を行い、デジタル／アナログ変換したアナログ画像データの送受信機能を備える通信装置において、
画像データの送信機能を実行しているときに、チャネル上で発生するビットエラーの発生割合と予め定める閾値とを比較する送信時エラー発生割合比較手段と、
前記送信時エラー発生割合比較手段の出力に応答して、ビットエラーの発生割合が前記予め定める閾値を越えている期間中に送信される１ライン分の画像データを連続して繰り返し送信する連続送信手段を含むことを特徴とする通信装置である。
本発明に従えば、画像データの送信機能を実行しているときに、チャネル上で発生するビットエラーの発生割合が予め定める閾値を越えている期間中には、当該期間中に送信される１ライン分の画像データが連続して繰り返し送信される。このようにして、伝送期間の時間を稼ぐようにすることによって、画像信号の通信が不可能な前記期間中の新たな画像データの送出を少なくすることができ、画像データの欠落が低減する。
【００１０】
また本発明は、所定の手順に従ってチャネルを確立した基地局との間で無線通信を行い、当該基地局との間で送受信される信号レベルが劣化すると、所定の通信チャネルの切替え手順を実行し、画像データとして認識できる信号が、受信エラー検出用計測手段に設定される予め定められる期間中に受信されなかったときには、所定の通信の中断手順を実行し、デジタル／アナログ変換したアナログ画像データの送受信機能を備える通信装置において、
画像データの受信機能を実行しているときに、チャネルの切替え手順が実行されたことを識別する受信時チャネル切替識別手段と、
前記受信時チャネル切替識別手段の出力に応答して、チャネルの切替え手順が終了するまで、前記受信エラー検出用計測手段の計測動作を無効化する無効化手段を含むことを特徴とする通信装置である。
本発明に従えば、画像データの受信機能を実行しているときに、チャネルの切替え手順が実行されると、チャネルの切替え手順が終了するまで、画像データとして認識できる信号が受信エラー検出用計測手段に設定される予め定められる期間中に受信されなかったときに、所定の通信の中断手順を実行するための前記計測手段の計測動作が無効とされる。したがって、前記期間中に受信した信号が画像データではないと判断されて通信が中断してしまうことを防止することができる。
【００１１】
また本発明は、所定の手順に従ってチャネルを確立した基地局との間で無線通信を行い、当該基地局との間で送受信される信号レベルが劣化すると、所定の通信チャネルの切替え手順を実行し、デジタル／アナログ変換したアナログ画像データの送受信機能を備える通信装置において、
画像データの受信機能を実行しているときに、チャネルの切替え手順が実行されたことを識別する受信時チャネル切替識別手段と、
時間軸で可変の設定値に基づいてチャネル上で発生する歪み信号を除去する適応等化器と、
前記受信時チャネル切替識別手段の出力に応答して、チャネルの切替え手順が終了するまで、前記適応等化器の設定値を固定する設定手段を含むことを特徴とする通信装置である。
本発明に従えば、画像データの受信機能を実行しているときに、チャネルの切替え手順が実行されると、チャネルの切替え手順が終了するまで、時間軸で可変の設定値に基づいてチャネル上で発生する歪み信号を除去する適応等化器の前記設定値が固定される。したがって、通信チャネルの切替えが終了して画像データの通信が可能となったときに、適応等化器は復帰した通信状況に容易に追随することができる。
【００１３】
また本発明は、所定の手順に従ってチャネルを確立した基地局との間で無線通信を行い、画像データとして認識できる信号が、受信エラー検出用計測手段に設定される予め定められる期間中に受信されなかったときには、所定の通信の中断手順を実行し、デジタル／アナログ変換したアナログ画像データの送受信機能を備える通信装置において、
画像データの受信機能を実行しているときに、チャネル上で発生するビットエラーの発生割合と、予め定める閾値とを比較する受信時エラー発生割合比較手段と、
前記受信時エラー発生割合比較手段の出力に応答して、ビットエラーの発生割合が予め定める閾値を越えている期間中には、前記受信エラー検出用計測手段の計測動作を無効化する無効化手段を含むことを特徴とする通信装置である。
本発明に従えば、画像データの受信機能を実行しているときに、チャネル上で発生するビットエラーの発生割合が予め定める閾値を越えている期間中には、前述した受信エラー検出用計測手段の計測動作が無効とされる。したがって、前記期間中に受信した信号が画像データではないと判断されて通信が中断してしまうことを防止することができる。
【００１４】
また本発明は、所定の手順に従ってチャネルを確立した基地局との間で無線通信を行い、デジタル／アナログ変換したアナログ画像データの送受信機能を備える通信装置において、
画像データの受信機能を実行しているときに、チャネル上で発生するビットエラーの発生割合と、予め定める閾値とを比較する受信時エラー発生割合比較手段と、
時間軸で可変の設定値に基づいてチャネル上で発生する歪み信号を除去する適応等化器と、
前記受信時エラー発生割合比較手段の出力に応答して、ビットエラーの発生割合が予め定める閾値を越えている期間中には、前記適応等化器の設定値を固定する設定手段を含むことを特徴とする通信装置である。
本発明に従えば、画像データの受信機能を実行しているときに、チャネル上で発生するビットエラーの発生割合が予め定める閾値を越えている期間中には、前述した適応等化器の設定値が固定される。したがって、ビットエラーの発生割合が前記予め定める閾値以内となったときに、適応等化器は復帰した通信状況に容易に追随することができる。
【００１７】
【発明の実施の形態】
図１は、本発明の実施の一形態である通信装置１ａの電気的構成を示すブロック図である。通信装置１ａは、無線部２、電話部３およびファクシミリ（ＦＡＸ）部４ａを含んで構成される。通信装置１ａは、無線方式を用いて通信を行う携帯型移動端末装置などで実現され、無線部２はアンテナ５を介して基地局との間で信号の送受信を行う。通信装置１ａは、後述するような予め定められる手順に従って基地局とのチャネルの確立を行い、無線方式を用いて通信を行う前記基地局を介して、端末装置間の通信を実現している。
【００１８】
電話機能を実行する電話部３は、電話制御手段６、識別手段７および比較手段８を含んで構成される。識別手段７は、通信チャネルの切替え期間中であるかどうかを判断する。比較手段８は、チャネル上に設定されるビットエラーレート値と、あらかじめ定められる閾値とを比較する。電話制御手段６は、電話機能の実行動作を制御するとともに、このような識別手段７や比較手段８の出力結果をＦＡＸ部４ａに与える。電話部３で実行される電話機能とは、アナログ信号である音声データや、デジタル／アナログ変換されたアナログ信号の画像データの送受信を行う機能である。
【００１９】
ファクシミリ通信機能を実行するＦＡＸ部４ａは、ＦＡＸ制御手段９、ＦＩＬ付加手段１０および連続送信手段１１を含んで構成される。ＦＩＬ付加手段１０は、ＦＩＬ信号を１ライン（走査線）の画像データの末尾に付加する。連続送信手段１１は、１ライン分の画像データを連続的に繰り返して送信する。ＦＡＸ制御手段９は、ファクシミリ通信機能の実行動作を制御するとともに、このようなＦＩＬ付加手段１０や連続送信手段１１を電話部３からの受信信号に基づいて制御して、ファクシミリ送信時の動作を制御する。
【００２０】
ここで、ＦＡＸ部４ａが実行するファクシミリ通信機能とは、デジタル信号である画像データを音声データと同等のアナログ信号に変換し、変換した画像データを見なし音声データとして、電話部３を介して送受信する機能である。このような機能は、公衆電話回線などのアナログ回線を介して画像データの送受信を行うファクシミリ装置でも同じようにして実現されている。すなわち、デジタル信号である画像データは、モデムによって音声データと同等のアナログ信号に変換され、変換された画像データが無線方式によって送受信される。したがって、ＦＡＸ部４ａはモデムを含んで構成される。以降の説明での「画像データ」とは、上述のような「見なし音声データ」のことを意味する。
【００２１】
図２は、ＰＨＳ（パーソナル  ハンディホン  システム）通信方式における一括発信時の手順を示す図である。前記通信装置１ａは、このような手順を実行した後、画像データの送受信を行う。まず、通信装置１ａに相当するユーザー（ＰＳ）が、基地局に相当する網（ＣＳ）に対して、リンクチャネル確立要求メッセージを送信する。続いて、網はユーザーにリンクチャネル割当メッセージを送信する。
【００２２】
（１）発呼要求（ＣＣ）
ユーザーが呼設定メッセージ（ＣＣ）を網に転送することによって、呼設定を開始する。
（２）発呼受付（ＣＣ）
呼設定メッセージ（ＣＣ）を網が受信して呼の受付が正当であることが確認されたとき、網は呼を処理していることを表示するために呼設定受付メッセージ（ＣＣ）をユーザーに送信し、「発呼受付」状態に遷移する。
ユーザーは呼設定受付メッセージ（ＣＣ）を受けたとき、「発呼受付」状態に遷移する。
（３）定義情報要求（ＲＴ）
ユーザーが定義情報受信指示を受けている場合、ユーザーは定義情報要求メッセージ（ＲＴ）によって、定義情報を要求する。これを受けた網は、定義情報応答メッセージ（ＲＴ）によって、定義情報を通知する。
（４）ＲＴ機能要求（ＲＴ）
ＲＴ機能要求を行うことを指示されたユーザーは、機能要求メッセージ（ＲＴ）によって、ＲＴ機能を網に要求する。受け付けられたＲＴ機能は、機能要求応答メッセージ（ＲＴ）によってユーザーに通知される。
（５）秘匿鍵設定（ＲＴ）
ユーザーは、秘匿鍵設定メッセージ（ＲＴ）によって秘匿鍵を網に伝える。  （６）ＭＭ機能要求（ＭＭ）
ＭＭ機能要求を行うことを指示されたユーザーは、機能要求メッセージ（ＭＭ）によって、ＭＭ機能を網に要求する。受け付けられたＭＭ機能は、機能要求応答メッセージ（ＭＭ）によってユーザーに通知される。
（７）認証（ＭＭ）
ユーザーからの必要な機能要求が終わると、網は認証乱数を発生し、認証要求メッセージ（ＭＭ）をユーザーに送信して乱数を通知する。認証要求メッセージ（ＭＭ）を受信したユーザーは、乱数を自身が持つ認証鍵を用いて暗号化し、認証応答メッセージ（ＭＭ）を用いて認証演算結果を網に通知する。認証応答メッセージ（ＭＭ）を受信した網は、同様に、認証乱数とユーザーのホームメモリ内の認証鍵とを用いて得られた認証演算結果が、ユーザーから通知された結果と一致するかどうかを判定する。認証結果が一致しない場合、呼切断復旧の規定に従って呼解放手順を開始する。認証結果が一致する場合、呼接続を継続する。
（８）呼出通知（ＣＣ）
着ユーザー呼出が開始されたことの表示を網が受信した場合、網は呼出メッセージ（ＣＣ）をユーザーに送信する。
（９）応答通知（ＣＣ）
網は、呼が着ユーザーに受け付けられたことの表示を受信すると、応答メッセージ（ＣＣ）をユーザーに送信する。
（１０）通話拒否（ＲＴ，ＭＭ，ＣＣ）
網または着ユーザーから呼を受け付けられないことが表示された場合、呼切断復旧の規定に従って呼解放手順を開始する。
【００２３】
図３は、前記ＰＨＳ通信方式における他の網への通信中チャネルの切替え手順の一例を示す図である。ここでは、ハンドオーバ動作の例を説明する。通信装置１ａは、通信中においても移動可能であり、通信中に移動して当該通信装置１ａと基地局との間の距離が長くなり、信号レベルの低下などによって受信信号の品質が劣化すると、通信装置１ａは基地局を変更する、いわゆるハンドオーバ動作を行う。これによって通信チャネルが切替わる。なお、当該動作の実行時には、見なし音声データを含む音声データの送受信はできない状態にある。
【００２４】
（１）再発呼型ハンドオーバ要求（ＣＣ）
ユーザーが呼設定メッセージ（ファシリティ：ハンドオーバ）（ＣＣ）を網に転送することによってハンドオーバを開始する。
（２）再発呼ハンドオーバ受付（ＣＣ）
呼設定メッセージ（ファシリティ：ハンドオーバ）（ＣＣ）を網が受信して呼の受付が正当であることが確認されたとき、網は呼を処理していること表示するために呼設定受付メッセージ（ＣＣ）をユーザーに送信し、「発呼受付（ＣＣ）：再発呼（ファンクショナルオペレーション）」状態に遷移する。
ユーザーは呼設定受付メッセージ（ＣＣ）を受けたとき、「発呼受付（ＣＣ）：再発呼（ファンクショナルオペレーション）」状態に遷移する。
呼設定メッセージ（ＣＣ）を受信した網は、ユーザーからファシリティ情報要素によって通知された認証演算結果を、ユーザーのホームメモリ内の認証鍵を用いて得られた再認証演算結果と一致するかどうかを判定する。認証結果が一致しない場合、呼切断復旧の規定に従って呼解放手順を開始する。認証結果が一致する場合、ハンドオーバを継続する。
（３）ＲＴ機能要求（ＲＴ）
ＲＴ機能要求を行うことを指示されたユーザーは、機能要求メッセージ（ＲＴ）によって、ＲＴ機能を網に要求する。受け付けられたＲＴ機能は、機能要求応答メッセージ（ＲＴ）によってユーザーに通知される。
（４）秘匿鍵設定（ＲＴ）
ユーザーは、秘匿鍵設定メッセージ（ＲＴ）によって秘匿鍵を網に伝える。  （５）ＭＭ機能要求（ＭＭ）
ＭＭ機能要求を行うことを指示されたユーザーは、機能要求メッセージ（ＭＭ）によって、ＭＭ機能を網に要求する。受け付けられたＭＭ機能は、機能要求応答メッセージ（ＭＭ）によってユーザーに通知される。
（６）応答通知（ＣＣ）
網は、再発呼型ハンドオーバが受け付けられたことの表示を受信すると、応答メッセージ（ファシリティ：ハンドオーバ）（ＣＣ）をユーザーに送信する。応答メッセージ（ファシリティ：ハンドオーバ）（ＣＣ）を受信したユーザーは、ハンドオーバを正常終了し、通信中に遷移する。
【００２５】
また、通信装置１ａは、上述したようなハンドオーバ動作の実行時の基地局の変更ができなかったときには、元の基地局との間にチャネル接続を戻す、いわゆる切り戻り動作を実行する。また、通信装置１ａは、キャリア周波数やスロットのみを変更して同一基地局との間でチャネルを切替えてもかまわない。なお、ＰＨＳ通信方式に関する通信手順の詳細は、たとえば「第２世代コードレス電話システム  標準規格  ＲＣＲ−ＳＴＤ２８」（財団法人  電波システム開発センター発行）に記載されている。
【００２６】
また、本形態の通信装置１ａでは、上述したような手順で通信を行うＰＨＳ通信方式に限らず、一般的な携帯電話システムで用いられる通信方式を採用してもかまわない。ただし本形態の通信装置１ａは、ハンドオーバ動作や切り戻り動作などのチャネルの切替え動作、または同一基地局との間でのチャネルの切替え動作などの、一時的に画像データの送受信が不可能となるような通信方式を採用する場合において、優れた効果が得られる。
【００２７】
（実施例１）
図４は、実施例１である通信装置１ａの画像データ送信時の動作を示すフローチャートである。
【００２８】
ステップａ１では、ＦＡＸ部４ａがファクシミリ通信機能を実行し、画像データの送信が開始されたかどうかを、ＦＡＸ制御手段９が判断する。画像データの送信が開始されたと判断されると、ステップａ２に移る。
【００２９】
ステップａ２では、識別手段７が、通信中チャネルの切替え手順の実行が開始されたかどうかを判断する。データ送信中に通信装置１ａが移動して、通信装置１ａと基地局との間の距離が長くなり、信号レベルの低下などの受信信号の品質が劣化すると、図３で説明したようなハンドオーバ動作によって、通信装置１ａは基地局を変更し、通信チャネルを切替える。たとえば、通信装置１ａが呼設定メッセージ（ＣＣ）を基地局に転送することに基づいて、ハンドオーバー動作が開始されたと判断される。チャネルの切替え手順の実行が開始されたと判断されると、ステップａ３に進み、開始されていないと判断されると、ステップａ７に進む。ステップａ７では、画像データの送信が終了したかどうかが判断される。終了したと判断されると、ステップａ１に戻り、終了していないと判断されると、ステップａ２に戻る。
【００３０】
ステップａ３では、チャネルの切替えが開始されたことを認識したＦＩＬ付加手段１０が、１ライン（走査線）分の画像データの伝送時間ｔが予め定められる許容範囲（最大伝送時間Ｔｍ）以内であるかどうかを判断する。許容範囲以内であると判断されると、ステップａ４に進み、ＦＩＬ付加手段１０が、１ライン分の画像データの末尾にＦＩＬ信号を付加する。さらにステップａ６に進み、識別手段７が、通信中チャネルの切替え手順の実行が終了されたかどうかを判断する。たとえば、基地局が応答メッセージ（ＣＣ）を通信装置１ａに送信し、当該応答メッセージ（ＣＣ）を受信することに基づいて、ハンドオーバー動作が終了されたと判断する。チャネルの切替え手順の実行が終了されたと判断すると、ステップａ２に戻り、終了されていないと判断されると、ステップａ３に戻る。
【００３１】
ＦＩＬ信号が付加されて伝送時間ｔが最大伝送時間Ｔｍを越え、ステップａ３で許容範囲以内ではないと判断されると、ステップａ５に進み、ＦＩＬ信号が付加された１ライン分の画像データが送信される。
【００３２】
図５は、実施例１において送信される画像データ２１の構成を示す図である。画像データ２１は、複数のラインデータ２５ａ，２５ｂから成り、１ラインデータ２５ａ，２５ｂは、少なくともラインの終端を示すＥＯＬ信号２２と、ＤＡＴＡ信号２３とを含んで構成される。１つのラインデータ２５ａ，２５ｂに関して、１ラインデータの伝送時間ｔは、必ず１ライン（走査線）当たりの最大伝送時間Ｔｍ、たとえば５秒以内に設定される。また一般に、前記伝送時間ｔが、符号化された１ライン（走査線）当たりの走査線最小伝送時間Ｔに満たないときには、伝送時間ｔが走査線最小伝送時間Ｔ以上となるように、ＦＩＬ信号２４が付加される。ＦＩＬ信号とは、走査線最小伝送時間Ｔを保障するための信号であり、１ラインデータの末尾に、すなわち次のラインデータのＥＯＬ信号２２の直前に付加される。画像データを受信する端末装置は、次のライン分のデータが受信可能となるまでにある程度の期間が必要であり、ＦＩＬ信号はこのような次のライン分のデータが受信可能となるまでに必要な期間を形成するための疑似的な信号である。前記期間は、たとえば１ライン分のデータを印字する時間よりも１ライン分のデータを受信する時間の方が短い場合、装置内に蓄積されるデータ量が増加してゆき、印字が間に合わなくなってしまうので、必要となる。このような画像データの構成は、ファクシミリ通信に関するＣＣＩＴＴ（国際電信電話諮問委員会）で定められたＴ４勧告に従うものである。
【００３３】
実施例１では、通常のファクシミリ通信時にも、伝送時間ｔが走査線最小伝送時間Ｔ以上となるように付加される疑似的な信号であるＦＩＬ信号が、通信チャネルの切替え手順の実行期間中に１ライン分の画像データの末尾に付加されて、送信される。ＦＩＬ信号は、最大伝送時間Ｔｍとなるまで付加することが可能である。ＦＩＬ信号が付加された画像データを受信した相手側端末装置は、従来技術と同じように動作し、次のライン分のデータが受信可能となるまでに必要な期間を形成する。すなわち、この間に受信側端末装置は受信動作以外何ら動作を実行しない。このように通信チャネルの切替え手順実行期間中には、ＦＩＬ信号を付加して伝送時間ｔの時間を稼ぐようにしているので、当該期間中に送信される本来の画像データを少なくすることができる。
【００３４】
したがって、画像データの送受信が不可能な前記期間中の、画像データの欠落が低減し、受信側端末装置が印画出力する画像の品位が向上する。なお実施例１の通信装置１ａは、比較手段８と連続送信手段１１とを除外して構成してもかまわない。
【００３５】
（実施例２）
図６は、実施例２である通信装置１ａの画像データ送信時の動作を示すフローチャートである。本フローチャートは、図４に示される実施例１のフローチャートのステップａ３，ａ４，ａ５に代わって、ステップａ８を追加したものであり、追加したステップａ８についてのみ説明する。
【００３６】
ステップａ２で、識別手段７が、通信中チャネルの切替え手順の実行が開始されたかどうかを判断し、チャネルの切替え手順の実行が開始されたと判断されたステップａ８では、連続送信手段１１が、１ライン分前の画像データを連続して繰り返し送信する。さらにステップａ６に進み、識別手段７が、通信中チャネルの切替え手順の実行が終了されたかどうかを判断する。チャネルの切替え手順の実行が終了されたと判断すると、ステップａ２に戻り、終了されていないと判断されると、ステップａ８に戻る。
【００３７】
以上のように実施例２では、通信チャネルの切替え手順の実行期間中には、１ライン分前の画像データが連続して繰り返し送信される。このようにして繰り返し送信される同じ画像データを受信した受信側端末装置は、同じ画像データを繰り返して印画出力することとなるけれども、通信チャネルの切替手順の実行期間中はデータが相手側端末装置に届かない状況にあるので、実際には画像データは受信されておらず、画像は印画出力されない。このように、前記期間中には、同じ画像データを繰り返し送信して伝送時間ｔの時間を稼ぐようにしているので、前記期間中に送出される新たな画像データを少なくすることができる。
【００３８】
したがって、画像データの送受信が不可能な前記期間中の、画像データの欠落が低減する。なお実施例２の通信装置１ａは、比較手段８を除外して構成してもかまわない。
【００３９】
（実施例３）
図７は、実施例３である通信装置１ａの画像データ送信時の動作を示すフローチャートである。本フローチャートは、図４に示される実施例１のフローチャートのステップａ２に代わって、ステップａ９を追加し、ステップａ６を削除したものである。
【００４０】
ステップａ１で画像データの送信が開始されたと判断されるとステップａ９では、比較手段８が、ビットエラーレート値が予め定める閾値よりも大きいかどうかを判断する。大きいと判断されると、ステップａ３に進み、大きくないと判断されると、ステップａ７に進む。ステップａ４，ａ５の処理が終了すると、ステップａ９に戻る。
【００４１】
実施例３では、画像データの通信が不可能な期間の判断が、チャネルの切替えに代わって、ビットエラーレート値と予め定める閾値との関係によって判断される。ビットエラーレート値とは、送受信されるデータビットの「０」／「１」が通信途中で誤って伝送される割合を示す。当該値は、予め定められる一定期間中の全ビットの内のエラービット数を求めることによって得られる。前記予め定められる一定期間は、いくらであってもよく、たとえば１秒や１０秒であってもかまわない。
【００４２】
したがって、チャネル上のビットエラーレート値が大きく、画像データの通信が不可能である期間中には、前記実施例１と同様にして、ＦＩＬ信号が１ラインの画像データに付加されて、送信される。このようにして伝送時間ｔの時間を稼ぐようにしているので、ビットエラーレート値が大きい期間に送信される画像データを少なくすることができる。このため、前記期間中の、画像データの欠落が低減し、印画出力される画像データ品位が向上する。なお実施例３の通信装置１ａは、識別手段７と連続送信手段１１とを除外して構成してもかまわない。
【００４３】
（実施例４）
図８は、実施例４である通信装置１ａの画像データ送信時の動作を示すフローチャートである。本フローチャートは、図６に示される実施例２のフローチャートのステップａ２に代わって、ステップａ９を追加し、ステップａ６を削除したものである。
【００４４】
ステップａ１で画像データの送信が開始されたと判断されるとステップａ９では、比較手段８が、ビットエラーレート値が予め定める閾値よりも大きいかどうかを判断する。大きいと判断されると、ステップａ８に進み、大きくないと判断されると、ステップａ７に進む。ステップａ８の処理が終了すると、ステップａ９に戻る。
【００４５】
以上のように実施例４では、画像データの通信が不可能な期間の判断が、ビットエラーレート値と予め定める閾値との関係によって判断され、チャネル上のビットエラーレート値が大きく、画像データの通信が不可能である期間中には、前記実施例２と同様にして、１ライン分前の画像データが連続して繰り返し送信される。このようにビットエラーレート値が大きい期間中には、同じ画像データを繰り返し送信して伝送時間ｔの時間を稼ぐようにしているので、当該期間中に送信される新たな画像データを少なくすることができる。
【００４６】
したがって、ビットエラーレート値が大きく、通信が不可能な前記期間中の、画像データの欠落が低減する。なお実施例４の通信装置１ａは、識別手段７を除外して構成してもかまわない。
【００４７】
また、通信装置１ａにおいて、実施例１と実施例３とを組合わせて、通信チャネルの切替え手順の実行期間中およびビットエラーレート値の大きい期間中に、ＦＩＬ信号を付加するようにしてもかまわない。さらに、実施例２と実施例３とを組合わせて、通信チャネルの切替え手順の実行期間中およびビットエラーレート値の大きい期間中に、画像データを連続して繰り返し送信するようにしてもかまわない。
【００４８】
図９は、本発明の実施の他の形態である通信装置１ｂの電気的構成を示すブロック図である。前記通信装置１ａと同様にして構成される手段には同じ参照符を付して示す。通信装置１ｂは、無線部２、電話部３およびファクシミリ（ＦＡＸ）部４ｂを含んで構成される。通信装置１ｂは、通信装置１ａと同様に、無線方式を用いて通信を行う携帯型移動端末装置などで実現され、無線部２はアンテナ５を介して基地局との間で信号の送受信を行う。
【００４９】
電話機能を実行する電話部３は、前記通信装置１ａの電話部と同様に、電話制御手段６、識別手段７および比較手段８を含んで構成される。
【００５０】
ファクシミリ通信機能を実行するＦＡＸ部４ｂは、ＦＡＸ制御手段９、破棄手段１２、無効化手段１３および設定手段１４を含んで構成される。破棄手段１２は、受信した画像データを破棄する。
【００５１】
無効化手段１３は、受信エラー検出用タイマの計測動作を無効化する。ＦＡＸ部４ｂが通常有する受信エラー検出用タイマには、予め定められる期間が設定されている。通信装置１ｂは画像データの受信時において、画像データと認識できる信号が前記期間得られなかったときには、チャネルに異常が発生したと判断して、通信を中断する手順を実行する。
【００５２】
設定手段１４は、モデム内に設けられる適応等化器の設定値の更新の禁止を設定する。モデムは、受信した画像データを復調し、送信する画像データを変調し、さらに通信制御手順における各種の手順信号を送出する。このようなモデムは、通常ＦＡＸ部４ｂが有する。モデム内部には、チャネル上で発生する歪み信号を時間とともに変化する設定値に基づいて取り除くために、前記適応等化器が設けられている。
【００５３】
ＦＡＸ制御手段９は、ファクシミリ通信機能の実行動作を制御するとともに、このような破棄手段１２、無効化手段１３および設定手段１４を電話部３からの受信信号に基づいて制御して、ファクシミリ受信時の動作を制御する。
【００５４】
（実施例５）
図１０は、実施例５である通信装置１ｂの画像データ受信時の動作を示すフローチャートである。
【００５５】
ステップｂ１では、ＦＡＸ部４ｂがファクシミリ通信機能を実行し、画像データの受信が開始されたかどうかを、ＦＡＸ制御手段９が判断する。画像データの受信が開始されたと判断されると、ステップｂ２に移る。
【００５６】
ステップｂ２では、識別手段７が、通信中チャネルの切替え手順の実行が開始されたかどうかを判断する。データ受信中に通信装置１ｂが移動して、通信装置１ｂと基地局との間の距離が長くなり、信号レベルの低下などの受信信号の品質が劣化すると、図３で説明したような手順のハンドオーバ動作によって、通信装置１ｂは基地局を変更し、通信チャネルを切替える。たとえば、通信装置１ｂが呼設定メッセージ（ＣＣ）を網に転送することに基づいて、ハンドオーバ動作が開始されたと判断される。チャネルの切替え手順の実行が開始されたと判断されると、ステップｂ３に進み、開始されていないと判断されると、ステップｂ５に進む。ステップｂ５では、画像データの受信が終了したかどうかが判断される。終了したと判断されると、ステップｂ１に戻り、終了していないと判断されると、ステップｂ２に戻る。
【００５７】
ステップｂ３では、チャネルの切替え手順の実行が開始されたことを認識した破棄手段１２が、チャネル切替え手順の実行期間中に受信した画像データを破棄する。さらにステップｂ４に進み、識別手段７が、通信中チャネルの切替え手順の実行が終了されたかどうかを判断する。たとえば、基地局が応答メッセージ（ＣＣ）を通信装置１ｂに送信し、当該応答メッセージ（ＣＣ）を受信することに基づいて、ハンドオーバ動作が終了したと判断する。チャネルの切替え手順の実行が終了されたと判断すると、ステップｂ２に戻り、終了されていないと判断されると、ステップｂ３に戻る。
【００５８】
実施例５では、画像データの通信が不可能なチャネルの切替え手順の実行中に、受信した画像データを破棄するようにしているので、当該期間中に受信した画像データ以外の信号を、画像データと見なして伸長処理を行ってしまい、受信エラーが発生することを低減することができる。また、画像データ以外の信号を画像データであると見なして印画出力することがなくなり、出力される画像の品位が向上する。なお実施例５の通信装置１ｂは、比較手段８と無効化手段１３と設定手段１４とを除外して構成してもかまわない。
【００５９】
（実施例６）
図１１は、実施例６である通信装置１ｂの画像データ受信時の動作を示すフローチャートである。本フローチャートは、図１０に示される実施例５のフローチャートのステップｂ３に代わって、ステップｂ６を追加したものであり、追加したステップｂ６についてのみ説明する。
【００６０】
ステップｂ２で、識別手段７が、通信中チャネルの切替え手順の実行が開始されたと判断されたステップｂ６では、無効化手段１３が、受信エラー検出用タイマの計測動作を無効化する。さらにステップｂ４に進み、識別手段７が、通信中チャネルの切替え手順の実行が終了されたかどうかを判断する。前記タイマの計測動作は、チャネルの切替え手順が実行されている期間のみ無効化される。すなわちチャネルの切替え手順の実行が終了すると、有効となる。
【００６１】
以上のように実施例６では、画像データの通信が不可能なチャネルの切替え手順の実行期間中に、受信エラー検出用タイマを無効化するようにしているので、当該期間中に受信した信号が、画像データではないと判断されて通信が中断してしまうことを防止することができる。なお実施例６の通信装置１ｂは、比較手段８と破棄手段１２と設定手段１４とを除外して構成してもかまわない。
【００６２】
（実施例７）
図１２は、実施例７である通信装置１ｂの画像データ受信時の動作を示すフローチャートである。本フローチャートは、図１０に示される実施例５のフローチャートのステップｂ３に代わって、ステップｂ７を追加したものであり、追加したステップｂ７についてのみ説明する。
【００６３】
ステップｂ２で、識別手段７が、通信中チャネルの切替え手順の実行が開始されたと判断されたステップｂ７では、設定手段１４が、ＦＡＸ部４ｂが有するモデム内の適応等化器の設定値を固定して、設定値の更新を禁止する。さらにステップｂ４に進み、識別手段７が、通信中チャネルの切替え手順の実行が終了されたかどうかを判断する。
【００６４】
前記適応等化器は、前記通信チャネルの切替えやチャネル状況などによって信号レベルが一時的に悪化した場合であっても、自動的にその状況にあわせて動作し、チャネル上で発生する歪み信号を除去する。前記通信チャネルの切替え中には、このような適応等化器を動作させる必要はなく、またたとえば通信チャネルの切替え手順の実行が終了して無線通信の状況が復帰したときに、復帰した状況に追随することができなくなる場合がある。
【００６５】
上述した実施例７では、画像データの通信が不可能なチャネルの切替え手順の実行中には、モデム内の適応等化器の設定値の更新を禁止するようにしているので、上述したような不都合の発生が低減される。なお実施例７の通信装置１ｂは、比較手段８と破棄手段１２と無効化手段１３とを除外して構成してもかまわない。
【００６６】
（実施例８）
図１３は、実施例８である通信装置１ｂの画像データ受信時の動作を示すフローチャートである。本フローチャートは、図１０に示される実施例５のフローチャートのステップｂ２に代わって、ステップｂ８を追加し、ステップｂ４を削除したものである。
【００６７】
ステップｂ１で画像データの受信が開始されたと判断されたステップｂ８では、比較手段８が、ビットエラーレート値が予め定める閾値よりも大きいかどうかを判断する。大きいと判断されると、ステップｂ３に進み、大きくないと判断されると、ステップｂ５に進む。ステップｂ３の処理が終了すると、ステップｂ８に戻る。
【００６８】
実施例８では、画像データの通信が不可能な期間の判断が、ビットエラーレート値と予め定める閾値との関係によって判断される。したがって、ビットエラーレート値が大きく、画像データの通信が不可能である期間中に、前記実施例５と同様にして、受信した画像データを破棄するようにしているので、当該期間中に受信した画像データ以外の信号を、画像データと見なして伸長処理を行ってしまい、受信エラーが発生することを低減することができる。また、画像データ以外の信号を画像データであると見なして、印画出力することがなくなり、出力される画像の品位が向上する。なお実施例８の通信装置１ｂは、識別手段７と無効化手段１３と設定手段１４とを除外して構成してもかまわない。
【００６９】
（実施例９）
図１４は、実施例９である通信装置１ｂの画像データ受信時の動作を示すフローチャートである。本フローチャートは、図１１に示される実施例６のフローチャートのステップｂ２に代わって、ステップｂ８を追加し、ステップｂ４を削除したものである。
【００７０】
ステップｂ１で画像データの受信が開始されたと判断されたステップｂ８では、比較手段８が、ビットエラーレート値が予め定める閾値よりも大きいかどうかを判断する。大きいと判断されると、ステップｂ６に進み、大きくないと判断されると、ステップｂ５に進む。ステップｂ６の処理が終了すると、ステップｂ８に戻る。
【００７１】
以上のように実施例９では、画像データの通信が不可能な期間の判断が、ビットエラーレート値と予め定める閾値との関係によって判断され、ビットエラーレート値が大きく、画像データの通信が不可能である期間中に、前記実施例６と同様にして、受信エラー検出用タイマを無効化するようにしているので、当該期間中に受信した信号が、画像データではないと判断されて通信が中断してしまうことを防止することができる。なお実施例９の通信装置１ｂは、識別手段７と破棄手段１２と設定手段１４とを除外して構成してもかまわない。
【００７２】
（実施例１０）
図１５は、実施例１０である通信装置１ｂの画像データ受信時の動作を示すフローチャートである。本フローチャートは、図１２に示される実施例７のフローチャートのステップｂ２に代わって、ステップｂ８を追加し、ステップｂ４を削除したものである。
【００７３】
ステップｂ１で画像データの受信が開始されたと判断されたステップｂ８では、比較手段８が、ビットエラーレート値が予め定める閾値よりも大きいかどうかを判断する。大きいと判断されると、ステップｂ７に進み、大きくないと判断されると、ステップｂ５に進む。ステップｂ７の処理が終了すると、ステップｂ８に戻る。
【００７４】
以上のように実施例１０では、画像データの通信が不可能な期間の判断が、ビットエラーレート値と予め定める閾値との関係によって判断され、ビットエラーレート値が大きく、画像データの通信が不可能である期間中に、モデム内の適応等化器の設定値の更新を禁止するようにしているので、前記実施例７で説明したような不都合の発生が低減される。なお実施例１０の通信装置１ｂは、識別手段７と破棄手段１２と無効化手段１３とを除外して構成してもかまわない。
【００７５】
また、通信装置１ｂにおいて、実施例５と実施例８とを組合わせて、通信チャネルの切替え手順の実行期間中およびビットエラーレート値が大きい期間中に、画像データを破棄するようにしてもかまわない。また、実施例６と実施例９とを組合わせてもかまわない。さらに、実施例７と実施例１０とを組合わせてもかまわない。さらに、通信装置１ａと通信装置１ｂとを組合わせて実現してもかまわない。
【００７７】
【発明の効果】
以上のように本発明によれば、チャネルの切替え手順が終了するまで、当該手順の実行期間中に送信される１ライン分の画像データを連続して繰り返して送信するようにして、伝送期間の時間を稼ぐようにしているので、前記期間中に送出される新たな画像データを少なくすることができ、画像データの欠落が低減する。
【００７８】
また本発明によれば、チャネル上で発生するビットエラーの発生割合が予め定める閾値を越えている期間中に送信される１ライン分の画像データの末尾には、疑似信号を付加するようにしているので、ビットエラーレート値が大きく、画像データの通信が不可能であるときに、送信される画像データを少なくすることができる。このため、前記期間中の画像データの欠落が低減し、印画出力される画像の品位が向上する。
【００７９】
また本発明によれば、ビットエラーの発生割合が予め定める閾値を越えている期間中に送信される１ライン分の画像データを連続して繰り返し送信するようにして、伝送期間の時間を稼ぐようにしているので、画像データの通信が不可能な前記期間中に送出される新たな画像データを少なくすることができ、画像データの欠落が低減する。
【００８１】
また本発明によれば、チャネルの切替え手順が終了するまで、所定の条件を満たさないことによって通信の中断手順を実行するための、計測手段の計測動作を無効とするようにしているので、チャネルの切替え手順の実行期間中に受信した信号が画像データではないと判断されて通信が中断してしまうことを防止することができる。
【００８２】
また本発明によれば、チャネルの切替え手順が終了するまで、適応等化器の設定値を固定するようにしているので、通信チャネルの切替え手順が終了して無線通信の状況が復帰したときに、適応等化器が復帰した状況に容易に追随することができる。
【００８４】
また本発明によれば、ビットエラーの発生割合が予め定める閾値を越えている期間には、受信エラー検出用計測手段の計測動作を無効とするようにしているので、前記期間中に受信した信号が画像データではないと判断されて、通信が中断してしまうことを防止することができる。
【００８５】
また本発明によれば、ビットエラーの発生割合が予め定める閾値を越えている期間には、適応等化器の設定値を固定するようにしているので、無線通信の状況が復帰したときに、適応等化器が復帰した状況に容易に追随することができる。
【図面の簡単な説明】
【図１】本発明の実施の一形態である通信装置１ａの電気的構成を示すブロック図である。
【図２】ＰＨＳ通信方式における一括発信時の手順を示す図である。
【図３】ＰＨＳ通信方式における他の網への通信中チャネルの切替え手順の一例であるハンドオーバ動作を示す図である。
【図４】実施例１である通信装置１ａの画像データ送信時の動作を示すフローチャートである。
【図５】実施例１の手順に従って送信される画像データ２１の構成を示す図である。
【図６】実施例２である通信装置１ａの画像データ送信時の動作を示すフローチャートである。
【図７】実施例３である通信装置１ａの画像データ送信時の動作を示すフローチャートである。
【図８】実施例４である通信装置１ａの画像データ送信時の動作を示すフローチャートである。
【図９】本発明の実施の他の形態である通信装置１ｂの電気的構成を示すブロック図である。
【図１０】実施例５である通信装置１ｂの画像データ受信時の動作を示すフローチャートである。
【図１１】実施例６である通信装置１ｂの画像データ受信時の動作を示すフローチャートである。
【図１２】実施例７である通信装置１ｂの画像データ受信時の動作を示すフローチャートである。
【図１３】実施例８である通信装置１ｂの画像データ受信時の動作を示すフローチャートである。
【図１４】実施例９である通信装置１ｂの画像データ受信時の動作を示すフローチャートである。
【図１５】実施例１０である通信装置１ｂの画像データ受信時の動作を示すフローチャートである。
【符号の説明】
１ａ，１ｂ  通信装置
２  無線部
３  電話部
４ａ，４ｂ  ファクシミリ（ＦＡＸ）部
５  アンテナ
６  電話制御手段
７  識別手段
８  比較手段
９  ファクシミリ（ＦＡＸ）制御手段
１０  ＦＩＬ付加手段
１１  連続送信手段
１２  破棄手段
１３  無効化手段
１４  設定手段
２１  画像データ
２２  ＥＯＬ信号
２３  ＤＡＴＡ信号
２４  ＦＩＬ信号
２５ａ，２５ｂ  １ラインデータ
【図１】
0003574252.tif 000002
【図２】
0003574252.tif 000003
【図３】
0003574252.tif 000004
【図４】
0003574252.tif 000005
【図５】
0003574252.tif 000006
【図６】
0003574252.tif 000007
【図７】
0003574252.tif 000008
【図８】
0003574252.tif 000009
【図９】
0003574252.tif 000010
【図１０】
0003574252.tif 000011
【図１１】
0003574252.tif 000012
【図１２】
0003574252.tif 000013
【図１３】
0003574252.tif 000014
【図１４】
0003574252.tif 000015
【図１５】
0003574252.tif 000016